(57)【要約】【課題】  平凸レンズ状集光素を多数形成してなる平凸レンズ状集光素層と該平凸レンズ状集光素層の下に積層された透明基板層と該透明基板層の下に画素を多数形成してなる画素層とを備えた装飾体に対して更なる装飾要素を付加することにより、更に観者の注意を引きつけることができる装飾体を得る。【解決手段】  平凸レンズ状集光素を多数形成してなる平凸レンズ状集光素層と該平凸レンズ状集光素層の下に積層された透明基板層と該透明基板層の下に画素を多数形成してなる画素層とを備えた装飾体において、画素層の下に積層する層や画素を外部条件の変化に伴って色彩及び／又は透明度が変化する材料を用いて形成し、特定の外部条件下において画素を他の層によって隠蔽するか或いは画素を無色化することでドットとして視認できなくすることにより、外部条件の変化に伴って虚像を現出させたり、消滅させたりする。【選択図】  図１
2006068945.tif 000002
【特許請求の範囲】
【請求項１】
平凸レンズ状集光素を多数形成してなる平凸レンズ状集光素層と該平凸レンズ状集光素層の下に積層された透明基板層と該透明基板層の下に画素を多数形成してなる画素層とを備えた装飾体であって、前記画素層の下に外部条件の変化に伴って色彩及び／又は透明度が変化すると共に特定の外部条件下において前記画素の色彩と同じ色彩であって該画素の透明度以下の透明度になる変色層が積層されており、当該特定の外部条件下においては当該画素に対応する虚像が現出せず、当該特定の外部条件以外の外部条件下においては当該画素に対応する虚像が現出することを特徴とする装飾体。
【請求項２】
外部条件の変化に伴って色彩の有無が変化すると共に特定の外部条件下において画素の色彩と同じ色彩であって該画素の透明度以下の透明度になる変色層が積層されている請求項１記載の装飾体。
【請求項３】
画素層が色彩及び／又は透明度の異なる複数種類の画素から構成されていて該画素層を構成する少なくとも一種類の画素がいかなる外部条件下においても変色層の色彩と同じ色彩にならないものであるか、或いは、変色層の色彩と同じ色彩であっても該変色層の透明度以上の透明度にならないものであり、いかなる外部条件下においても当該少なくとも一種類の画素に対応する虚像が現出する請求項１又は２記載の装飾体。
【請求項４】
平凸レンズ状集光素を多数形成してなる平凸レンズ状集光素層と該平凸レンズ状集光素層の下に積層された透明基板層と該透明基板層の下に画素を多数形成してなる画素層とを備えた装飾体であって、前記画素層の下に外部条件の変化に伴って色彩及び／又は透明度が変化すると共に特定の外部条件下において特定の色彩であって透明性を有する変色層が積層されており、当該変色層の下に特定の色彩であって透明性を有する変色層越しに視認される色彩及び透明度が前記画素の色彩と同じ色彩であって該画素の透明度以下の透明度になる下地層が積層されており、当該特定の外部条件下においては当該画素に対応する虚像が現出せず、当該特定の外部条件以外の外部条件下においては当該画素に対応する虚像が現出することを特徴とする装飾体。
【請求項５】
外部条件の変化に伴って色彩の有無が変化すると共に特定の外部条件下において無色になる変色層が積層されている請求項４記載の装飾体。
【請求項６】
画素層が色彩及び／又は透明度の異なる複数種類の画素から構成されていて該画素層を構成する少なくとも一種類の画素がいかなる外部条件下においても特定の色彩であって透明性を有する変色層越しに視認される下地層の色彩と同じ色彩にならないものであるか、或いは、特定の色彩であって透明性を有する変色層越しに視認される下地層の色彩と同じ色彩であっても該変色層越しに視認される下地層の透明度以上の透明度にならないものであり、いかなる外部条件下においても当該少なくとも一種類の画素に対応する虚像が現出する請求項４又は５記載の装飾体。
【請求項７】
平凸レンズ状集光素を多数形成してなる平凸レンズ状集光素層と該平凸レンズ状集光素層の下に積層された透明基板層と該透明基板層の下に画素を多数形成してなる画素層とを備えた装飾体であって、前記画素は外部条件の変化に伴って色彩の有無が変化すると共に特定の外部条件下において無色になるものであり、当該特定の外部条件下においては当該画素に対応する虚像が現出せず、当該特定の外部条件以外の外部条件下においては当該画素に対応する虚像が現出することを特徴とする装飾体。
【請求項８】
画素層が色彩及び／又は透明度の異なる複数種類の画素から構成されていて該画素層を構成する少なくとも一種類の画素がいかなる外部条件下においても無色にならないものであり、いかなる外部条件下においても当該少なくとも一種類の画素に対応する虚像が現出する請求項７記載の装飾体。
【請求項９】
平凸レンズ状集光素を多数形成してなる平凸レンズ状集光素層と該平凸レンズ状集光素層と該平凸レンズ状集光素層の下に積層された透明基板層と該透明基板層の下に画素を多数形成してなる画素層とを備えた装飾体であって、前記画素層の下に下地層が積層されており、前記画素は外部条件の変化に伴って色彩及び／又は透明度が変化すると共に特定の外部条件下において下地層の色彩と同じ色彩であって該下地層の透明度以上の透明度になるものであり、当該特定の外部条件下においては当該画素に対応する虚像が現出せず、当該特定の外部条件以外の外部条件下においては当該画素に対応する虚像が現出することを特徴とする装飾体。
【請求項１０】
外部条件の変化に伴って色彩の有無が変化すると共に特定の外部条件下において無色になる画素から構成される画素層を備えた請求項９記載の装飾体。
【請求項１１】
画素層が色彩及び／又は透明度の異なる複数種類の画素から構成されていて該画素層を構成する少なくとも一種類の画素がいかなる外部条件下においても下地層の色彩と同じ色彩にならないものであるか、或いは、下地層の色彩と同じ色彩であっても該下地層の透明度以上の透明度にならないものであり、いかなる外部条件下においても当該少なくとも一種類の画素に対応する虚像が現出する請求項９又は１０記載の装飾体。
【請求項１２】
外部条件が温度又は光照射である請求項１乃至１１のいずれかに記載の装飾体。
【発明の詳細な説明】
【技術分野】
【０００１】
本発明は、装飾体に関するものである。
【背景技術】
【０００２】
本出願人は、目の錯覚を利用した装飾体として後出特許文献１掲載の「虚像現出装飾体」を開発している。
【０００３】
特許文献１掲載の虚像現出装飾体は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記平凸レンズ状集光素層の平凸レンズ状集光素が10≦線数≦70を満足する紗体を形成する紗線によってできた升目を単位として形成されており、前記画素層の画素が前記紗体の線数未満の（を越える）近い線数からなる紗体を形成する紗体を形成する紗線によってできる升目を単位として該升目のピッチと同一ピッチで形成されており、前記画素の形状と同一形状の拡大された虚像が前記平凸レンズ状集光素層の上方（又は下方）に現出するものである。
【０００４】
また、特許文献１掲載の虚像現出装飾体における平凸レンズ状集光素と画素との位置関係に改良することにより、後出特許文献２掲載の「虚像現出装飾体」を開発しており、さらに、画素層を構成する画素の形状に改良することにより、後出特許文献３乃至５掲載の「虚像現出装飾体」を開発している。
【０００５】
これらの装飾体は、いずれも観者の注意を引きつける特徴的な装飾効果を有しているため、広告板やラベルなどに使用されて好評を得ている。
【特許文献１】特許第３５０５６１７号公報（第１頁〜第４頁、図７及び図８）
【特許文献２】特開２００２−４６４００号公報（第２頁及び第３頁、図１、１０及び図１４）
【特許文献３】特開２００２−１２０４９９号公報（第２頁〜第４頁、図１）
【特許文献４】特開２００３−２２６０９９号公報（第２頁及び第３頁、図２）
【特許文献５】特開２００３−２２６１００号公報（第２頁及び第３頁、図２）
【発明の開示】
【発明が解決しようとする課題】
【０００６】
本発明者は、前記装飾体に対して更なる装飾要素を付加することにより、より観者の注意を引きつけることができる装飾体を得ることを技術的課題として研究・実験を重ねた結果、平凸レンズ状集光素を多数形成してなる平凸レンズ状集光素層と該平凸レンズ状集光素層の下に積層された透明基板層と該透明基板層の下に画素を多数形成してなる画素層とを備えた装飾体において、画素層の下に積層する層或いは画素層を構成する画素を外部条件の変化に伴って色彩及び／又は透明度が変化する材料を用いて形成すれば、特定の外部条件下において画素を他の層によって隠蔽するか或いは画素を無色化することによって該画素をドットとして視認できなくすることができ、外部条件の変化に伴って虚像を現出させたり、消滅させたりすることができるという刮目すべき知見を得、前記技術的課題を達成したものである。
【課題を解決するための手段】
【０００７】
前記技術的課題は、次の通りの本発明によって解決できる。
【０００８】
即ち、本発明に係る装飾体は、平凸レンズ状集光素を多数形成してなる平凸レンズ状集光素層と該平凸レンズ状集光素層の下に積層された透明基板層と該透明基板層の下に画素を多数形成してなる画素層とを備えた装飾体であって、前記画素層の下に外部条件の変化に伴って色彩及び／又は透明度が変化すると共に特定の外部条件下において前記画素の色彩と同じ色彩であって該画素の透明度以下の透明度になる変色層が積層されており、当該特定の外部条件下においては当該画素に対応する虚像が現出せず、当該特定の外部条件以外の外部条件下においては当該画素に対応する虚像が現出するものである。
【０００９】
また、本発明は、前記装飾体において、外部条件の変化に伴って色彩の有無が変化すると共に特定の外部条件下において画素の色彩と同じ色彩であって該画素の透明度以下の透明度になる変色層が積層されているものである。
【００１０】
また、本発明は、前記二つの装飾体のいずれかにおいて、画素層が色彩及び／又は透明度の異なる複数種類の画素から構成されていて該画素層を構成する少なくとも一種類の画素がいかなる外部条件下においても変色層の色彩と同じ色彩にならないものであるか、或いは、変色層の色彩と同じ色彩であっても該変色層の透明度以上の透明度にならないものであり、いかなる外部条件下においても当該少なくとも一種類の画素に対応する虚像が現出するするものである。
【００１１】
また、本発明に係る装飾体は、平凸レンズ状集光素を多数形成してなる平凸レンズ状集光素層と該平凸レンズ状集光素層の下に積層された透明基板層と該透明基板層の下に画素を多数形成してなる画素層とを備えた装飾体であって、前記画素層の下に外部条件の変化に伴って色彩及び／又は透明度が変化すると共に特定の外部条件下において特定の色彩であって透明性を有する変色層が積層されており、当該変色層の下に特定の色彩であって透明性を有する変色層越しに視認される色彩及び透明度が前記画素の色彩と同じ色彩であって該画素の透明度以下の透明度になる下地層が積層されており、当該特定の外部条件下においては当該画素に対応する虚像が現出せず、当該特定の外部条件以外の外部条件下においては当該画素に対応する虚像が現出するものである。
【００１２】
また、本発明は、前記装飾体において、外部条件の変化に伴って色彩の有無が変化すると共に特定の外部条件下において無色になる変色層が積層されているものである。
【００１３】
また、本発明は、前記二つの装飾体のいずれかにおいて、画素層が色彩及び／又は透明度の異なる複数種類の画素から構成されていて該画素層を構成する少なくとも一種類の画素がいかなる外部条件下においても特定の色彩であって透明性を有する変色層越しに視認される下地層の色彩と同じ色彩にならないものであるか、或いは、特定の色彩であって透明性を有する変色層越しに視認される下地層の色彩と同じ色彩であっても該変色層越しに視認される下地層の透明度以上の透明度にならないものであり、いかなる外部条件下においても当該少なくとも一種類の画素に対応する虚像が現出するものである。
【００１４】
また、本発明に係る装飾体は、平凸レンズ状集光素を多数形成してなる平凸レンズ状集光素層と該平凸レンズ状集光素層の下に積層された透明基板層と該透明基板層の下に画素を多数形成してなる画素層とを備えた装飾体であって、前記画素は外部条件の変化に伴って色彩の有無が変化すると共に特定の外部条件下において無色になるものであり、当該特定の外部条件下においては当該画素に対応する虚像が現出せず、当該特定の外部条件以外の外部条件下においては当該画素に対応する虚像が現出するものである。
【００１５】
また、本発明は、前記装飾体において、画素層が色彩及び／又は透明度の異なる複数種類の画素から構成されてきて該画素層を構成する少なくとも一種類の画素がいかなる外部条件下においても無色にならないものであり、いかなる外部条件下においても当該少なくとも一種類の画素に対応する虚像が現出するものである。
【００１６】
また、本発明に係る装飾体は、平凸レンズ状集光素を多数形成してなる平凸レンズ状集光素層と該平凸レンズ状集光素層と該平凸レンズ状集光素層の下に積層された透明基板層と該透明基板層の下に画素を多数形成してなる画素層とを備えた装飾体であって、前記画素層の下に下地層が積層されており、前記画素は外部条件の変化に伴って色彩及び／又は透明度が変化すると共に特定の外部条件下において下地層の色彩と同じ色彩であって該下地層の透明度以上の透明度になるものであり、当該特定の外部条件下においては当該画素に対応する虚像が現出せず、当該特定の外部条件以外の外部条件下においては当該画素に対応する虚像が現出するものである。
【００１７】
また、本発明は、前記装飾体において、外部条件の変化に伴って色彩の有無が変化すると共に特定の外部条件下において無色になる画素から構成される画素層を備えたものである。
【００１８】
また、本発明は、前記二つの装飾体のいずれかにおいて、画素層が色彩及び／又は透明度の異なる複数種類の画素から構成されていて該画素層を構成する少なくとも一種類の画素がいかなる外部条件下においても下地層の色彩と同じ色彩にならないものであるか、或いは、下地層の色彩と同じ色彩であっても該下地層の透明度以上の透明度にならないものであり、いかなる外部条件下においても当該少なくとも一種類の画素に対応する虚像が現出するものである。
【００１９】
さらに、本発明は、前記いずれかの装飾体において、外部条件が温度又は光照射であるものである。
【発明の効果】
【００２０】
本発明によれば、画素層の下に特定の外部条件下において画素の色彩と同じ色彩であって該画素の透明度以下の透明度になる変色層を積層したので、装飾体を特定の外部条件下に置いた際には、画素が変色層によって隠蔽されてドットとして視認できなくなり、一方、特定の外部条件以外の外部条件下に置いた際には、画素が変色層によって隠蔽されずにドットとして視認できるため、外部条件の変化に伴って虚像が現出したり、消滅したりする優れた装飾効果を得ることができる。
【００２１】
また、本発明によれば、画素層の下に特定の外部条件下において特定の色彩であって透明性を有する変色層を積層すると共に、該変色層の下に特定の色彩であって透明性を有する変色層越しに見える色彩及び透明度が画素の色彩と同じ色彩であって該画素の透明度以下の透明度になる下地層を積層したので、特定の外部条件下に置いた際には、画素が画素層の下に積層された各層によって隠蔽されてドットとして視認できなくなり、一方、特定の外部条件以外の外部条件下に置いた際には、画素が画素層の下に積層された各層によって隠蔽されずにドットとして視認できるため、外部条件の変化に伴って虚像が現出したり、消滅したりする優れた装飾効果を得ることができる。
【００２２】
また、本発明によれば、画素を特定の外部条件下においてのみ無色になるものとしたので、特定の外部条件下に置いた際には、画素が無色となってドットとして視認できなくなり、一方、特定の外部条件以外の外部条件下に置いた際には、画素が有色となってドットとして視認できるため、外部条件の変化に伴って虚像が現出したり、消滅したりする優れた装飾効果を得ることができる。
【００２３】
さらに、本発明によれば、画素層の下に有色の下地層を積層すると共に、画素を特定の外部条件下において下地層の色彩と同じ色彩であって該下地層の透明度以上の透明度になるものとしたので、特定の外部条件下に置いた際には、画素が下地層に隠蔽されてドットとして視認できなくなり、一方、特定の外部条件以外の外部条件下に置いた際には、画素が下地層に隠蔽されずにドットとして視認できるため、外部条件の変化に伴って虚像が現出したり、消滅したりする優れた装飾効果を得ることができる。
【００２４】
従って、本発明の産業上利用性は非常に高いといえる。
【発明を実施するための最良の形態】
【００２５】
以下、本発明の実施の形態を図面に基づき説明する。
【００２６】
実施の形態１．
【００２７】
図１は本実施の形態に係る装飾体を示した断面図であり、平凸レンズ状集光素と画素とが最も重なっている箇所を通るように切断されている。図２は図１に示す装飾体の平凸レンズ状集光素と画素との位置関係を示した平面図であり、図中、画素列及び画素行を実線、集光素列及び集光素行を点線にて示している。図３は図１に示す装飾体に現出する虚像を示した説明図である。図１において、１は、平凸レンズ状集光素２を多数形成してなる平凸レンズ状集光素層３と、平凸レンズ状集光素層３の下に積層された透明基板層４と、透明基板層４の下に画素５を多数形成してなる画素層６と、画素層６の下に積層された変色層７とからなる装飾体である。
【００２８】
平凸レンズ状集光素層３を構成する平凸レンズ状集光素２は、図２に示すように、縦方向及び横方向にそれぞれ同じピッチで整列されている。なお、平凸レンズ状集光素２は、厚盛性の良好な透明インキを用いてスクリーン印刷により形成すればよい。
【００２９】
透明基板層４は、透明であれば有色又は無色のいずれであってもよく、ガラスや合成樹脂からなるものを使用すればよい。合成樹脂としては、硬質又は軟質のいずれのものであってもよく、具体的には、ポリカーボネート、ポリエステル、アクリル又はポリ塩化ビニルなどからなるものを使用すればよい。
【００３０】
画素層６を構成する画素５は、平凸レンズ状集光素２における縦方向のピッチより僅かに狭いピッチで縦方向に整列されていると共に、平凸レンズ状集光素２における横方向のピッチより僅かに狭いピッチで横方向に整列されており、縦方向のピッチと横方向のピッチとは一致している。なお、画素５は、銀塩フィルム現像技法（写真製版）やスクリーン印刷、オフセット印刷又は凸版印刷などにより形成すればよい。
【００３１】
変色層７は、外部条件の変化に伴って色彩が変化すると共に、特定の外部条件下において画素５の色彩と同じ色彩であって画素５の透明度以下の透明度になるものである。なお、透明度は、主として不透明、半透明及び透明に分類することができ、透明に近づくに伴い透明度が高くなり、不透明に近づくに伴い透明度が低くなる。従って、変色層７が画素５の透明度以下の透明度を有する場合とは、例えば、画素５が透明又は半透明であって変色層７が不透明である場合や画素５が不透明であって変色層７も不透明である場合などのことである。また、外部条件としては、例えば、温度、紫外線を含む光の照射又は光の照射の有無などがある。
【００３２】
次に、平凸レンズ状集光素２と画素５との位置関係を説明する。
【００３３】
平凸レンズ状集光素層３と画素層６とは、図２に示すように、平凸レンズ状集光素２と画素５とが上下において最も重なる基準集光素８と基準画素９とからなる組を有するように積層されている。そして、基準画素９を含む画素列（以下、「基準画素列」という。）１０と等距離にある一組の他の画素列１１が該他の画素列１１に対応する集光素列１２に対して基準画素列１０を中心として内側にずれていると共に、基準画素列１０よりも外側の画素列１１ほどずれる幅が大きくなり、かつ、基準画素９を含む画素行（以下、「基準画素行」という。）１３と等距離にある一組の他の画素行１４が該他の画素行１４に対応する集光素行１５に対して基準画素行１３を中心として内側にずれていると共に、基準画素行１３よりも外側の画素行１４ほどずれる幅が大きくなっている。なお、本実施の形態における平凸レンズ状集光素２と画素５との位置関係は、前出特許文献１に掲載されているものである。
【００３４】
次に、外部条件の変化に伴って現出する虚像について説明する。
【００３５】
先ず、装飾体１を特定の外部条件下に置くと、変色層７が画素５の色彩と同じ色彩であって画素５の透明度以下の透明度になるため、装飾体１を平凸レンズ状集光素層３側から目視した時に、画素５をドットとして認識できなくなって虚像が現出しなくなる。一方、装飾体１を特定の外部条件以外の外部条件下に置くと、変色層７が画素５の色彩と異なる色彩になるため、装飾体１を平凸レンズ状集光素層３側から目視した時に、画素５をドットとして認識できるようになる。
【００３６】
この時、平凸レンズ状集光素２と画素５との位置関係が、基準画素列１０と等距離にある一対の他の画素列１１が該他の画素列１１に対応する集光素列１２に対して基準画素列１０を中心として内側にずれていると共に、基準画素列１０よりも外側の画素列１１ほどずれる幅が大きくなっているので、図３に示すように、左目１６のみで目視したときに見える画像１７と右目１８のみで目視したときに見える画像１９との位置関係を比べると、目線が交差しないようにずれて画像が現れる。この画像のずれにより、画素５の拡大虚像２０が基準画素９を中心として装飾体１に対して奥（下方）に沈んで見える。
【００３７】
なお、虚像２０は、画素５の形状が上下非対称である場合には、上下に反転した状態で現出し、左右非対称である場合には、左右に反転した状態で現出し、上下及び左右非対称である場合には、上下及び左右に反転した状態で現出する。
【００３８】
本実施の形態における変色層７は、外部条件の変化に伴って色彩のみが変化するものであるが、特定の外部条件下において画素５の色彩と同じ色彩であって画素５の透明度以下の透明度を有するものであれば、透明度のみが変化するものであってもよく、色彩及び透明度のいずれもが変化するものであってもよい。
【００３９】
また、変色層７は、特定の外部条件下において画素５の色彩と同じ色彩であって画素５の透明度以下の透明度になるものであれば、外部条件の変化に伴って色彩の有無が変化するもの、即ち、外部条件の変化に伴って無色になるものであってもよい。
【００４０】
実施の形態２．
【００４１】
図４は本実施の形態に係る装飾体を示した断面図であり、平凸レンズ状集光素と画素とが最も重なっている箇所を通るように切断されている。図５は図４に示す装飾体の平凸レンズ状集光素と画素との位置関係を示した平面図であり、図中、画素列及び画素行を実線、集光素列及び集光素行を点線にて示している。図６は図４に示す装飾体に現出する虚像を示した説明図である。なお、これらの図において、図１〜３と同一符号は同一又は相当部分を示している。図４において、２１は、平凸レンズ状集光素２を多数形成してなる平凸レンズ状集光素層３と、平凸レンズ状集光素層３の下に積層された透明基板層４と、透明基板層４の下に画素５を多数形成してなる画素層６と、画素層６の下に積層された変色層７と、変色層７の下に積層された下地層２２とからなる装飾体である。
【００４２】
平凸レンズ状集光素層３を構成する平凸レンズ状集光素２は、前記実施の形態１と同様に整列されている。また、画素層６を構成する画素５は、平凸レンズ状集光素２における縦方向のピッチより僅かに広いピッチで縦方向に整列されていると共に、平凸レンズ状集光素２における横方向のピッチより僅かに広いピッチで横方向に整列されており、縦方向のピッチと横方向のピッチとは一致している。
【００４３】
変色層７は、外部条件の変化に伴って色彩が変化すると共に、特定の外部条件下において特定の色彩であって透明性を有するものである。
【００４４】
下地層２２は、変色層７が特定の色彩であって透明性を有する状態において、該変色層７越しに見える色彩が画素５の色彩と同じ色彩であって、該変色層７越しに見える透明度が画素５の透明度以下の透明度になるものである。
【００４５】
次に、平凸レンズ状集光素２と画素５との位置関係を説明する。
【００４６】
平凸レンズ状集光素層３と画素層６とは、図５に示すように、平凸レンズ状集光素２と画素５とが上下において最も重なる基準集光素８と基準画素９とからなる組を有するように積層されている。そして、基準画素列１０と等距離にある一組の他の画素列１１が該他の画素列１１に対応する集光素列１２に対して基準画素列１０を中心として外側にずれていると共に、基準画素列１０よりも外側の画素列１１ほどずれる幅が大きくなり、かつ、基準画素行１３と等距離にある一組の他の画素行１４が該他の画素行１４に対応する集光素行１５に対して基準画素行１３を中心として外側にずれていると共に、基準画素行１３よりも外側の画素行１４ほどずれる幅が大きくなっている。なお、本実施の形態における平凸レンズ状集光素２と画素５との位置関係は、前出特許文献１に掲載されているものである。
【００４７】
次に、外部条件の変化に伴って現出する虚像について説明する。
【００４８】
先ず、装飾体２１を特定の外部条件下に置くと、変色層７が特定の色彩であって透明性を有するようになるため、装飾体２１を平凸レンズ状集光素層３側から目視した時に、画素５が変色層７越しに視認される下地層２２の色彩と同じ色彩になると共に、変色層７越しに視認される下地層２２の透明度よりも高い透明度になり、画素５をドットとして認識できなくなって虚像が現出しなくなる。一方、装飾体２１を特定の外部条件以外の外部条件下に置くと、変色層７越しに視認される下地層２２が画素５の色彩と異なる色彩を有するようになるため、装飾体２１を平凸レンズ状集光素層３側から目視した時に、画素５をドットとして認識できるようになる。
【００４９】
この時、平凸レンズ状集光素２と画素５との位置関係が、基準画素列１０と等距離にある一対の他の画素列１１が該他の画素列１１に対応する集光素列１２に対して基準画素列１０を中心として外側にずれていると共に、基準画素列１０よりも外側の画素列１１ほどずれる幅が大きくなっているので、図６に示すように、左目１６のみで目視したときに見える画像１７と右目１８のみで目視したときに見える画像１９との位置関係を比べると、目線が交差するようにずれて画像が現れる。この画像のずれにより、画素５の拡大虚像２３が上下方向に反転した状態で基準画素９を中心として装飾体２１に対して手前（上方）に浮いて見える。
【００５０】
本実施の形態における変色層７は、外部条件の変化に伴って色彩のみが変化するものであるが、特定の外部条件下において特定の色彩であって透明性を有するものであれば、透明度のみが変化するものであってもよく、色彩及び透明度のいずれもが変化するものであってもよい。また、外部条件の変化に伴って色彩の有無を変化させるものであってもよい。
【００５１】
実施の形態３．
【００５２】
図７は本実施の形態に係る装飾体を示した断面図であり、図７の（ａ）は基準画素行において切断されたものであり、図７の（ｂ）は基準画素列において切断されたものである。図８は図７に示す装飾体の平凸レンズ状集光素と画素との位置関係を示した平面図であり、画素列及び画素行を実線、集光素列及び集光素行を点線にて示している。図９は図８に示す装飾体に現出する虚像を示した説明図であり、図９の（ａ）は装飾体をＸ方向から目視した際に現出する虚像を示しており、図９の（ｂ）は装飾体をＹ方向から目視した際に現出する虚像を示している。これらの図において、図１〜６と同一符号は同一又は相当部分を示している。図７において、２４は、平凸レンズ状集光素２を多数形成してなる平凸レンズ状集光素層３と、平凸レンズ状集光素層３の下に積層された透明基板層４と、透明基板層４の下に画素５が多数形成された透明フィルム２５を積層してなる画素層６とからなる装飾体である。なお、本実施の形態においては、画素５が多数形成された透明フィルム２５全体で画素層６を構成している。
【００５３】
平凸レンズ状集光素層３を構成する平凸レンズ状集光素２は、前記実施の形態１と同様に整列されている。また、画素層６を構成する画素５は、平凸レンズ状集光素２における縦方向のピッチより僅かに狭いピッチで縦方向に整列されていると共に、平凸レンズ状集光素２における横方向のピッチより僅かに広い一定ピッチで横方向に整列されている。なお、平凸レンズ状集光素２と画素５とのピッチ差は縦方向と横方向とにおいて一致している。
【００５４】
また、画素５は、外部条件の変化に伴って色彩の有無を変化させると共に、特定の外部条件下において無色になるものである。
【００５５】
次に、平凸レンズ状集光素２と画素５との位置関係を説明する。
【００５６】
平凸レンズ状集光素層３と画素層６とは、図８に示すように、平凸レンズ状集光素２と画素５とが上下において最も重なる基準集光素８と基準画素９とからなる組を有するように積層されている。そして、基準画素列１０と等距離にある一組の他の画素列１１が該他の画素列１１に対応する集光素列１２に対して基準画素列１０を中心として外側にずれていると共に、基準画素列１０よりも外側の画素列１１ほどずれる幅が大きくなっており、かつ、基準画素行１３と等距離にある一組の他の画素行１４が該他の画素行１４に対応する集光素行１５に対して基準画素行１３を中心として内側にずれていると共に、基準画素行１３よりも外側の画素行１４ほどずれる幅が大きくなっている。なお、本実施の形態における平凸レンズ状集光素２と画素５の位置関係は、前出特許文献２に掲載されているものである。
【００５７】
次に、外部条件の変化に伴って現出する虚像について説明する。
【００５８】
装飾体２４を特定の外部条件下に置くと、画素５が無色になるため、装飾体２４を平凸レンズ状集光素層３側から目視した時に、画素５をドットとして認識できなくなって虚像が現出しなくなる。一方、装飾体２４を特定の外部条件以外の外部条件下に置くと、画素５が有色になるため、装飾体２４を平凸レンズ状集光素層３側から目視した時に、画素５をドットとして認識できるようになる。
【００５９】
この時、装飾体２４をＸ方向（図８中、矢印Ｘ方向）から目視すると、基準画素列１０と等距離にある一対の他の画素列１１が該他の画素列１１に対応する集光素列１２に対して基準画素列１０を中心として外側にずれていると共に、基準画素列１０よりも外側の画素列１１ほどずれる幅が大きくなっているので、図９の（ａ）に示すように、画素５の拡大虚像２６が基準画素９を中心として装飾体２４に対して手前（上方）に浮かんで見える。
【００６０】
また、装飾体２４をＹ方向（図８中、矢印Ｙ方向）から片目すると、基準画素行１３と等距離にある一対の他の画素行１４が該他の画素行１４に対応する集光素行１５に対して基準画素行１３を中心として内側にずれていると共に、基準画素行１３よりも外側の画素行ほどずれる幅が大きくなっているので、図９の（ｂ）に示すように、画素５の拡大虚像２７が基準画素９を中心として装飾体２４の奥（下方）に沈んで見える。
【００６１】
従って、装飾体２４を目視する方向を９０度回転させることにより、異なる高さ位置に現出する虚像を視認することができる。
【００６２】
実施の形態４．
【００６３】
図１０は実施の形態に係る装飾体を示した断面図であり、図１０の（ａ）は基準画素行において切断されたものであり、図１０の（ｂ）は基準画素列において切断されたものである。図１１は図１０に示す装飾体の平凸レンズ状集光素と画素との位置関係を示した平面図であり、画素列及び画素行を実線、集光素列及び集光素行を点線にて示している。図１２は図１１に示す装飾体に現出する虚像を示した説明図であり、図１２の（ａ）は装飾体をＸ方向から目視した際に現出する虚像を示しており、図１２の（ｂ）は装飾体をＹ方向から目視した際に現出する虚像を示している。これらの図において、図１〜図９と同一符号は同一又は相当部分を示している。図１０において、２８は、平凸レンズ状集光素２を多数形成してなる平凸レンズ状集光素層３と、平凸レンズ状集光素層３の下に積層された透明基板層４と、透明基板層４の下に画素５を多数形成してなる画素層６と、画素層６の下に積層された下地層２２とからなる装飾体である。
【００６４】
平凸レンズ状集光素層３を構成する平凸レンズ状集光素２は、前記実施の形態１と同様に整列されている。また、画素層６を構成する画素５は、平凸レンズ状集光素２における縦方向のピッチより僅かに広いピッチで縦方向に整列されていると共に、その縦方向のピッチよりさらに広い一定ピッチで横方向に整列されている。従って、平凸レンズ状集光素２と画素５とのピッチ差は縦方向よりも横方向の方が大きくなっている。
【００６５】
また、画素５は、外部条件の変化に伴って色彩及び／又は透明度を変化させると共に、特定の外部条件下において下地層２２の色彩と同じ色彩であって下地層２２の透明度以上の透明度になるものである。
【００６６】
次に、平凸レンズ状集光素２と画素５との位置関係を説明する。
【００６７】
平凸レンズ状集光素層３と画素層６とは、図１１に示すように、平凸レンズ状集光素２と画素５とが上下において最も重なる基準集光素８と基準画素９とからなる組を有するように積層されている。そして、基準画素列１０と等距離にある一組の他の画素列１１が該他の画素列１１に対応する集光素列１２に対して基準画素列１０を中心として外側にずれていると共に、基準画素列１０よりも外側の画素列１１ほどずれる幅が大きくなっており、また、基準画素行１３と等距離にある一組の他の画素行１４が該他の画素行１４に対応する集光素行１５に対して基準画素行１３を中心として外側に向かって画素列１１の集光素列１２に対するずれ幅よりも小さなずれ幅でずれていると共に、基準画素行１３よりも外側の画素行１４ほどずれる幅が大きくなっている。なお、本実施の形態における平凸レンズ状集光素２と画素５との位置関係は、前出特許文献２に掲載されているものである。
【００６８】
次に、外部条件の変化に伴って現出する虚像について説明する。
【００６９】
先ず、装飾体２８を特定の外部条件下に置くと、画素５が下地層２２の色彩と同じ色彩であって下地層２２の透明度以上の透明度になるため、装飾体２８を平凸レンズ状集光素層３側から目視した時に、画素５をドットとして認識できなくなって虚像が現出しなくなる。一方、装飾体２８を特定の外部条件以外の外部条件下に置くと、画素５が下地層２２の色彩と異なる色彩になるか又は下地層２２の色彩と同じであっても該下地層２２の透明度より低い透明度になるため、装飾体２８を平凸レンズ状集光素層３側から目視した時に、画素５をドットとして認識できるようになる。
【００７０】
この時、装飾体２８をＸ方向（図１１中、矢印Ｘ方向）から目視すると、基準画素列１０と等距離にある一対の他の画素列１１が該他の画素列１１に対応する集光素列１２に対して基準画素列１０を中心として外側にずれていると共に、基準画素列１０よりも外側の画素列１１ほどずれる幅が大きくなっているので、画素５を基準画素列１０に沿って引き延ばした形態の拡大虚像２９が基準画素９を中心として装飾体２８に対して手前（上方）に浮かんで見える。
【００７１】
また、装飾体２８をＹ方向（図１１中、矢印Ｙ方向）から目視すると、基準画素行１３と等距離にある一対の他の画素行１４が該他の画素行１４に対応する集光素行１５に対して基準画素行１３を中心として外側にずれていると共に、基準画素行１３よりも外側の画素行１４ほどずれる幅が大きくなっているので、画素５を基準画素列１０に沿って引き延ばした形態の拡大虚像３０が基準画素９を中心として装飾体２８に対して手前（上方）に浮いて見える。
【００７２】
なお、画素行１４の集光素行１５に対するずれ幅が画素列１１の集光素列１２に対するずれ幅よりも小さいため、図１２の（ａ）及び図１２の（ｂ）に示すように、装飾体２８をＸ方向から目視した際に現出する虚像２９よりもＹ方向から目視した際に現出する虚像３０の方が下側の高さ位置に浮いて見える。
【００７３】
従って、装飾体２８を目視する方向を９０度回転させることにより、異なる高さ位置に浮かんで現出する虚像を視認することができる。
【００７４】
なお、虚像は、平凸レンズ状集光素と画素との横方向のピッチ差と縦方向のピッチ差が同一である場合には、画素を拡大した形態となって現出するが、両ピッチ差が相違する場合には、ピッチ差の小さな方向へ引き延ばされた形態となって現出する。
【００７５】
実施の形態５．
【００７６】
本実施の形態は前記実施の形態１乃至４における平凸レンズ状集光素と画素との位置関係を変更した変形例である。図１３は本実施の形態に係る装飾体の平凸レンズ状集光素と画素との位置関係を示した平面図である。図１４は図１３に示す装飾体を目視した際に現出する虚像を示した説明図であり、図１４の（ａ）は装飾体をＸ方向から目視した場合に現出する虚像を示しており、図１４の（ｂ）は装飾体をＹ方向から目視した場合に現出する虚像を示している。これらの図において、図１〜図１２と同一符号は同一又は相当部分を示している。
【００７７】
本実施の形態における平凸レンズ状集光素層を構成する平凸レンズ状集光素２は、前記実施の形態１と同様に整列されている。また、画素層を構成する画素５は、平凸レンズ状集光素２における縦方向のピッチより僅かに狭い一定ピッチで縦方向に整列されていると共に、その縦方向のピッチよりさらに狭い一定ピッチで横方向に整列されている。従って、平凸レンズ状集光素２と画素５とのピッチ差は縦方向よりも横方向の方が大きくなっている。
【００７８】
次に、平凸レンズ状集光素２と画素５との位置関係を説明する。
【００７９】
平凸レンズ状集光素層と画素層とは、平凸レンズ状集光素２と画素５とが上下において最も重なる基準集光素８と基準画素９とからなる組を有するように積層されている。そして、基準画素列１０と等距離にある一組の他の画素列１１が該他の画素列１１に対応する集光素列１２に対して基準画素列１０を中心として内側にずれていると共に、基準画素列１０よりも外側の画素列１１ほどずれる幅が大きくなっており、また、基準画素行１３と等距離にある一組の他の画素行１４が該他の画素行１４に対応する集光素行１５に対して基準画素行１３を中心として内側に向かって画素列１１の集光素列１２に対するずれ幅よりも小さなずれ幅でずれていると共に、基準画素行１３よりも外側の画素行１４ほどずれる幅が大きくなっている。なお、本実施の形態における平凸レンズ状集光素２と画素５との位置関係は、前出特許文献２に掲載されているものである。
【００８０】
次に、現出する虚像について説明する。
【００８１】
装飾体を平凸レンズ状集光素層側から目視した時に、画素５をドットとして認識できる場合には、装飾体をＸ方向（図１３中、矢印Ｘ方向）から目視すると、基準画素列１０と等距離にある一対の他の画素列１１が該他の画素列１１に対応する集光素列１２に対して基準画素列１０を中心として内側にずれていると共に、基準画素列１０よりも外側の画素列１１ほどずれる幅が大きくなっているので、画素５を基準画素列１０に沿って引き延ばした形態の拡大虚像３１が基準画素９を中心として装飾体に対して奥（下方）に沈んで見える。
【００８２】
また、装飾体をＹ方向（図１３中、矢印Ｙ方向）から目視すると、基準画素行１３と等距離にある一対の他の画素行１４が該他の画素行１４に対応する集光素行１５に対して基準画素行１３を中心として内側にずれていると共に、基準画素行１３よりも外側の画素行１４ほどずれる幅が大きくなっているので、画素５を基準画素列１０に沿って引き延ばした形態の拡大虚像３２が基準画素９を中心として装飾体に対して奥（下方）に沈んで見える。
【００８３】
なお、画素行１４の集光素行１５に対するずれ幅が画素列１１の集光素列１２に対するずれ幅よりも小さいため、図１４の（ａ）及び図１４の（ｂ）に示すように、装飾体をＸ方向から目視した際に現出する虚像３１よりもＹ方向から目視した際に現出する虚像３２の方が上側の高さ位置に沈んで見える。
【００８４】
従って、装飾体を目視する方向を９０度回転させることにより、異なる高さ位置に沈んで現出する虚像を視認することができる。
【００８５】
実施の形態６．
【００８６】
本実施の形態は前記実施の形態１乃至４における平凸レンズ状集光素と画素との位置関係を変更した変形例である。図１５は本実施の形態に係る装飾体の平凸レンズ状集光素と画素との位置関係を示した平面図である。また、図１６は本実施の形態に係る他の装飾体における平凸レンズ状集光素と画素との位置関係を示した平面図である。この図において、図１〜図１４と同一符号は同一又は相当部分を示している。
【００８７】
本実施の形態における平凸レンズ状集光素層を構成する平凸レンズ状集光素２は、前記実施の形態１と同様に整列されている。また、画素層を構成する画素５は、平凸レンズ状集光素２における縦方向及び横方向のピッチより狭いピッチで縦方向及び横方向に整列された画素配置を一の画素列１１（図１５中、左端に位置する画素列１１）を残した状態で、一の画素列１１の隣の画素列１１から順に同じ傾斜角θを累積する傾斜パターンにて、画素配置における一の画素行１４（図１５中、下端に位置する画素行１４）に配置される画素５を中心として同一方向に並んで傾斜するように、即ち、一の画素列１１の隣の画素列１１である一列目の画素列１１の傾斜角θ1 がθとなり、二列目の画素列１１の傾斜角θ2 が２θとなり、以下、同様にｎ列目の画素列１１の傾斜角θn がｎθとなるように傾斜させて配置されている。
【００８８】
次に、平凸レンズ状集光素２と画素５との位置関係を説明する。
【００８９】
平凸レンズ状集光素層と画素層とは、画素層における一の画素列１１（図１５中、左端に位置する画素列１１）と平凸レンズ状集光層における一の集光素列１２（図１５中、左端に位置する集光素列１２）とが平行になり、かつ、平凸レンズ状集光素２と画素５とが上下において最も重なる基準集光素８と基準画素９とからなる組を有するように積層されている。そして、基準集光素９を中心とする対角線上の等距離にある他の平凸レンズ状集光素２に対応する他の画素５が該他の平凸レンズ状集光素２に対して基準集光素９を中心として点対称に横ずれして放射状に内側に向かってずれており、基準画素９よりも外側の他の画素５ほどずれる幅が大きくなっている。
【００９０】
次に、現出する虚像について説明する。
【００９１】
装飾体を平凸レンズ状集光素層側から目視した時に、画素５をドットとして認識できる場合には、装飾体を目視すると、基準画素列１０と等距離にある一対の他の画素列１１が該他の画素列１１に対応する集光素列１２に対して基準画素列１０を中心として内側にずれていると共に、基準画素列１０よりも外側の画素列１１ほどずれる幅が大きくなっているので、画素５を変形した形態の拡大虚像が基準画素９を中心として装飾体に対して奥（下方）に沈んで見える。
【００９２】
また、他の平凸レンズ状集光素と画素との位置関係を説明すると、図１６に示すように、画素層を構成する画素５を、平凸レンズ状集光素２における縦方向及び横方向のピッチより広いピッチで縦方向及び横方向に整列させた画素配置の画素列１１を前記と同様に傾斜させて配置し、平凸レンズ状集光素層と画素層とを、画素層における一の画素列１１（図１６中、左端に位置する画素列１１）と平凸レンズ状集光層における一の集光素列１２（図１６中、左端に位置する集光素列１２）とが平行になり、かつ、平凸レンズ状集光素２と画素５とが上下において最も重なる基準集光素８と基準画素９とからなる組を有するように積層し、基準集光素８を中心とする対角線上の等距離にある他の平凸レンズ状集光素２に対応する他の画素５が該他の平凸レンズ状集光素２に対して基準集光素８を中心として点対称に横ずれして放射状に外側に向かってずれており、基準画素９よりも外側の他の画素５ほどずれる幅が大きくなるように位置付けられている。
【００９３】
この場合には、装飾体を平凸レンズ状集光素層側から目視した時に、画素５をドットとして認識できる場合には、装飾体を目視すると、基準画素列１０と等距離にある一対の他の画素列１１が該他の画素列１１に対応する集光素列１２に対して基準画素列１０を中心として外側にずれていると共に、基準画素列１０よりも外側の画素列１１ほどずれる幅が大きくなっているので、画素５を変形した形態の拡大虚像が基準画素９を中心として装飾体に対して手前（上方）に浮いて見える。
【００９４】
本実施の形態における平凸レンズ状集光素２と画素５との位置関係は、前出特許文献１に掲載されているものである。
【００９５】
実施の形態７．
【００９６】
本実施の形態は前記各実施の形態における画素の変形例である。図１７は変形例１の画素層を示した平面図であり、図１８は変形例２の画素層を示した平面図であり、図１９は変形例３の画素層を示した平面図であり、図２０は変形例４の画素層を示した平面図であり、図２１は変形例５の画素層を示した平面図である。
【００９７】
変形例１：本変形例の画素層を構成する画素５は、各画素行１４上に配置される画素５の形状が、一の画素列１１（図１７中、左端に位置する画素列１１）上に配置される画素５を基本画素３３として該基本画素３３から離れるに従って徐々に変形するように形成されている。なお、本変形例における画素層は、前出特許文献５に掲載されているものである。
【００９８】
本変形例に係る画素層を積層した装飾体においては、目視する方向を移動させることによって形状が徐々に変形する虚像を得ることができる。
【００９９】
変形例２：本変形例の画素層を構成する画素５は、各画素行１４上に配置される画素５の形状が、一の画素列１１（図１８中、左端に位置する画素列１１）上に配置される画素５を基本画素３３として該基本画素３３から離れるに従って同じ回転角を累積する回転パターンにて一方向に回転するように形成されている。なお、本変形例における画素層は、前出特許文献４に掲載されているものである。
【０１００】
本変形例に係る画素層を積層した装飾体においては、目視する方向を移動させることによって回転する虚像を得ることができる。
【０１０１】
変形例３：本変形例の画素層を構成する画素５は、２種類の画素５が上下左右において交互に配置されるパターンで整列されている。なお、本変形例における画素層は、前出特許文献１に掲載されているものである。
【０１０２】
本変形例に係る画素層を積層した装飾体においては、２種類の画素の拡大虚像が重なった状態の虚像を得ることができる。
【０１０３】
なお、本変形例においては、画素を２種類としたが３種類以上にしてもよい。
【０１０４】
変形例４：本変形例の画素層を構成する画素５は、２種類の画素が左右にのみ交互に配置されており、上下には同じ形状の画素が配置されるパターンで整列されている。なお、本変形例における画素層は、前出特許文献１に掲載されているものである。
【０１０５】
本変形例に係る画素層を積層した装飾体においても、２種類の画素の拡大虚像が重なった状態の虚像を得ることができる。
【０１０６】
なお、本変形例においては、画素を２種類としたが３種類以上にしてもよい。
【０１０７】
変形例５：本変形例の画素層は線状の画素が整列されている。なお、本変形例における画素層は、前出特許文献３に掲載されているものである。
【０１０８】
本変形例に係る画素層を積層した装飾体においては、線状の虚像を得ることができる。
【０１０９】
前記実施の形態１乃至６においては、いずれも画素層を一層のみ積層しているが、多数層積層してもよい。この場合には、それぞれの画素層を構成する画素と平凸レンズ状集光素との位置関係によって各画素層に対応した虚像が現出する。
【０１１０】
実施の形態８．
【０１１１】
本実施の形態は前記実施の形態１乃至４に係る装飾体における画素層の変形例である。図２２は実施の形態１に係る装飾体の変形例を示した断面図であり、図２３は図２２に示す変形例の平面図である。図２４は実施の形態２に係る装飾体の変形例を示した断面図である。図２５は実施の形態３に係る装飾体の変形例を示した断面図である。図２６は実施の形態４に係る装飾体の変形例を示した断面図である。これらの図において、図１〜図１２と同一符号は同一又は相当部分を示している。
【０１１２】
変形例６：本変形例に係る装飾体の画素層６は、図２２及び図２３に示すように、透明基板層４の下に縦横に交互になるように多数印刷された２種類の画素５ａ，５ｂによって構成されている。そして、一方の画素５ａは、特定の外部条件下において変色層７の色彩と同じ色彩であって該変色層７の透明度以上の透明度になるものであり、他方の画素５ｂは、いかなる外部条件下においても変色層７の色彩と同じ色彩にならないものであるか、或いは、変色層７の色彩と同じ色彩であっても該変色層７の透明度以上の透明度にならないものである。
【０１１３】
従って、本変形例に係る装飾体においては、特定の外部条件以外の外部条件下においては、画素５ａ及び画素５ｂのそれぞれに対応する虚像が現出し、特定の外部条件下においては、画素５ｂに対応する虚像のみが現出する。即ち、画素５ｂに対応する虚像は、変色層７の変化に影響されずに常に現出した状態となる。
【０１１４】
なお、画素５ｂは、前記条件を満たすものであれば、外部条件の変化に伴って色彩及び／又は透明度が変化するものであってもよく、外部条件にかかわらず色彩及び透明度が変化しないものであってもよい。
【０１１５】
本実施例の場合には、平凸レンズ状集光素層３と画素層６とは、図２３に示すように、平凸レンズ状集光素２と画素５ａとが上下において最も重なる基準集光素８ａと基準画素９ａとからなる組を有すると共に、平凸レンズ状集光素２と画素５ｂとが上下において最も重なる基準集光素８ｂと基準画素９ｂとからなる組を有するように積層されている。そして、基準画素９ａ，９ｂを含むそれぞれの基準画素列１０ａ，１０ｂと等距離にある一組の他の画素列１１が該他の画素列１１に対応する集光素列１２に対して基準画素列１０ａ，１０ｂを中心として内側にずれていると共に、基準画素列１０よりも外側の画素列１１ほどずれる幅が大きくなり、かつ、基準画素９ａ，９ｂを含む基準画素行１３と等距離にある一組の他の画素行１４が該他の画素行１４に対応する集光素行１５に対して基準画素行１３を中心として内側にずれており、基準画素行１３よりも外側の画素行１４ほどずれる幅が大きくなっている。
【０１１６】
なお、変色層７は、特定の外部条件下において画素５ａの色彩と同じ色彩であって画素５ａの透明度以下の透明度になるものであれば、外部条件の変化に伴って色彩の有無が変化するものであっても同様の作用効果を得ることができる。
【０１１７】
変形例７：本変形例に係る装飾体の画素層６は、図２４に示すように、透明基板層４の下に画素５ａを多数形成した透明フィルム２５ａを積層した後、画素５ｂを多数形成した透明フィルム２５ｂを積層することによって構成されている。そして、一方の画素５ａは、特定の外部条件下において変色層７越しに見える下地層２２の色彩と同じ色彩になると共に変色層７越しに見える下地層２２の透明度以上の透明度になるものであり、他方の画素５ｂは、いかなる外部条件下においても変色層７越しに見える下地層２２の色彩と同じ色彩にならないものであるか、或いは、変色層７越しに見える下地層２２の色彩と同じ色彩であっても該変色層７越しに見える下地層２２の透明度以上の透明度にならないものである。
【０１１８】
従って、本変形例に係る装飾体においても、特定の外部条件以外の外部条件下においては、画素５ａ及び画素５ｂのそれぞれに対応する虚像が現出し、特定の外部条件下においては、画素５ｂに対応する虚像のみ現出する。
【０１１９】
なお、画素５ｂは、前記条件を満たすものであれば、外部条件の変化に伴って色彩及び／又は透明度が変化するものであってもよく、外部条件にかかわらず色彩及び透明度が変化しないものであってもよい。
【０１２０】
また、変色層７は、外部条件の変化に伴って色彩の有無が変化するものであっても同様の作用効果を得ることができる。
【０１２１】
変形例８：本変形例に係る装飾体の画素層６は、図２５に示すように、透明基板層４の下に縦横に交互になるように多数印刷された２種類の画素５ａ，５ｂによって構成されている。そして、一方の画素５ａは、特定の外部条件下において無色となるものであり、他方の画素５ｂは、いかなる外部条件下においても無色にならないものである。
【０１２２】
従って、本変形例に係る装飾体においても、特定の外部条件以外の外部条件下においては、画素５ａ及び画素５ｂのそれぞれに対応する虚像が現出し、特定の外部条件下においては、画素５ｂに対応する虚像のみ現出する。
【０１２３】
なお、画素５ｂは、前記条件を満たすものであれば、外部条件の変化に伴って色彩及び／又は透明度が変化するものであってもよく、外部条件にかかわらず色彩及び透明度が変化しないものであってもよい。
【０１２４】
変形例９：本変形例に係る装飾体の画素層６は、図２６に示すように、透明基板層４の下に縦横に交互になるように多数印刷された２種類の画素５ａ，５ｂによって構成されている。そして、一方の画素５ａは、特定の外部条件下において下地層２２の色彩と同じ色彩であって該下地層２２の透明度以上の透明度となるものであり、他方の画素５ｂは、いかなる外部条件下においても下地層２２の色彩と同じ色彩にならないものであるか、或いは、下地層２２と同じ色彩であっても該下地層２２の透明度以上の透明度にならないものである。
【０１２５】
従って、本変形例に係る装飾体においても、特定の外部条件以外の外部条件下においては、画素５ａ及び画素５ｂのそれぞれに対応する虚像が現出し、特定の外部条件下においては、画素５ｂに対応する虚像のみ現出する。
【０１２６】
なお、画素５ｂは、前記条件を満たすものであれば、外部条件の変化に伴って色彩及び／又は透明度が変化するものであってもよく、外部条件にかかわらず色彩及び透明度が変化しないものであってもよい。
【０１２７】
また、画素５ａは、特定の外部条件下において無色に変化するものであっても同様の作用効果を得ることができる。
【０１２８】
本実施の形態に係る各変形例における画素は二種類に限らず、三種類以上であってもよい。また、二種類以上のピッチの異なる画素の並びを重ねて積層することにより画素層を形成してもよい。
【０１２９】
なお、平凸レンズ状集光素層３を構成する平凸レンズ状集光素２は、規則正しく整列されていればよく、例えば、図２７のように、縦横に整列された画素の並びにおける各画素列を同じ角度傾斜させた状態で整列していてもよい。なお、この場合には、平凸レンズ状集光素２の並びに合わせて画素５を整列させる必要がある。
【０１３０】
また、外部条件に伴って色彩及び／又は透明度が変化する変色層や画素を形成するためのインキとしては、温度の変化に伴って色彩及び／又は透明度が変化するものとして市販のＳＴカラー（久保井インキ株式会社製）やＵＶサーマルインキ（株式会社セイコーアドバンス製）などがあり、紫外線を含む光の照射に伴って色彩及び／又は透明度が変化するものとして市販のフォトクロミックインキ（帝国インキ製造株式会社製）などがあり、また、光の照射中に蓄光して光の照射の有無によって色彩及び／又は透明度が変化するものとして市販のＮ夜光蓄光インキ（帝国インキ製造株式会社製）などがある。
【図面の簡単な説明】
【０１３１】
【図１】実施の形態１に係る装飾体を示した断面図である。
【図２】図１に示す装飾体の平凸レンズ状集光素層と画素層との積層関係を示した平面図である。
【図３】図１に示す装飾体に現出する虚像を示した説明図である。
【図４】実施の形態２に係る装飾体を示した断面図である。
【図５】図４に示す装飾体の平凸レンズ状集光素層と画素層との積層関係を示した平面図である。
【図６】図４に示す装飾体に現出する虚像を示した説明図である。
【図７】実施の形態３に係る装飾体を示した断面図である。
【図８】図７に示す装飾体の平凸レンズ状集光素層と画素層との積層関係を示した平面図である。
【図９】図８に示す装飾体に現出する虚像を示した説明図である。
【図１０】実施の形態９に係る装飾体を示した断面図である。
【図１１】図１０に示す装飾体の平凸レンズ状集光素層と画素層との積層関係を示した平面図である。
【図１２】図１１に示す装飾体に現出する虚像を示した説明図である。
【図１３】実施の形態５に係る装飾体の平凸レンズ状集光素と画素との位置関係を示した平面図である。
【図１４】実施の形態５に係る装飾体を目視した際に現出する虚像を示した説明図である。
【図１５】実施の形態６に係る装飾体の凸レンズ状集光素と画素との位置関係を示した平面図である。
【図１６】実施の形態６に係る他の装飾体における平凸レンズ状集光素と画素との位置関係を示した平面図である。
【図１７】実施の形態７に係る変形例１の画素層を示した平面図である。
【図１８】実施の形態７に係る変形例２の画素層を示した平面図である。
【図１９】実施の形態７に係る変形例３の画素層を示した平面図である。
【図２０】実施の形態７に係る変形例４の画素層を示した平面図である。
【図２１】実施の形態７に係る変形例５の画素層を示した平面図である。
【図２２】実施の形態１に係る装飾体の変形例を示した断面図である。
【図２３】図２２に示す変形例の平面図である。
【図２４】実施の形態２に係る装飾体の変形例を示した断面図である。
【図２５】実施の形態３に係る装飾体の変形例を示した断面図である。
【図２６】実施の形態４に係る装飾体の変形例を示した断面図である。
【図２７】平凸レンズ状集光素層を構成する平凸レンズ状集光素の並びを示した平面図である。
【符号の説明】
【０１３２】
１，２１，２４，２８  装飾体
２  平凸レンズ状集光素
３  平凸レンズ状集光素層
４  透明基板層
５  画素
６  画素層
７  変色層
８  基準集光素
９  基準画素
１０  基準画素列
１１  画素列
１２  集光素列
１３  基準集光素行
１４  画素行
１５  集光素行
１６  左目
１７，１９  画像
１８  右目
２０，２３，２６，２７，２９，３０，３１，３２  虚像
２２  下地層
２５  透明フィルム
３３  基本画素
【図１】
2006068945.tif 000003
【図２】
2006068945.tif 000004
【図３】
2006068945.tif 000005
【図４】
2006068945.tif 000006
【図５】
2006068945.tif 000007
【図６】
2006068945.tif 000008
【図７】
2006068945.tif 000009
【図８】
2006068945.tif 000010
【図９】
2006068945.tif 000011
【図１０】
2006068945.tif 000012
【図１１】
2006068945.tif 000013
【図１２】
2006068945.tif 000014
【図１３】
2006068945.tif 000015
【図１４】
2006068945.tif 000016
【図１５】
2006068945.tif 000017
【図１６】
2006068945.tif 000018
【図１７】
2006068945.tif 000019
【図１８】
2006068945.tif 000020
【図１９】
2006068945.tif 000021
【図２０】
2006068945.tif 000022
【図２１】
2006068945.tif 000023
【図２２】
2006068945.tif 000024
【図２３】
2006068945.tif 000025
【図２４】
2006068945.tif 000026
【図２５】
2006068945.tif 000027
【図２６】
2006068945.tif 000028
【図２７】
2006068945.tif 000029